(57)【要約】【課題】録画が禁止されている、もしくはそのままの形式（フォーマット）では録画できない番組（コンテンツ）を、録画が許可されている形式で録画することにより、ユーザーの希望する番組が録画されずに視聴できなくなることを抑止可能な録画装置を提供する。【解決手段】  この発明の実施の形態により実現される録画装置は、ユーザー操作による録画方式を設定する録画方式設定手段（21-1）と、記録メディアの記録形式を検出する記録形式検出手段（23-1）と、録画方式及び記録形式を記憶させる記憶手段（23-2）と、番組を録画する録画手段（3,5,11,13,15,17）と、録画手段で番組を録画するときの録画対象が記憶手段に記憶される録画方式及び記憶形式との組合せにおいて、録画が可能か否かを判断する判断手段（23-3）と、判断手段による結果が録画不可である場合に録画可能な録画方式を選択する録画方式選択手段（23-4）と、を有する。【選択図】  図２
2009111883.tif 000002
【特許請求の範囲】
【請求項１】
ユーザー操作による録画方式を設定する録画方式設定手段と、
前記記録メディアの記録形式を検出する記録形式検出手段と、
前記録画方式及び前記記録形式を記憶させる記憶手段と、
番組を録画する録画手段と、
前記録画手段で番組を録画するときの録画対象が前記記憶手段に記憶される前記録画方式及び前記記憶形式との組合せにおいて、録画が可能か否かを判断する判断手段と、
前記判断手段による結果が録画不可である場合に、録画可能な録画方式を選択する録画方式選択手段と、
を有することを特徴とする録画装置。
【請求項２】
前記録画装置は、前記録画対象と前記記憶形式及び前記録画方式の組合せ可否情報を予め保持し、前記判断手段は、その組合せ可否情報を参照し組合せ可否を判断することを特徴とする請求項１に記載の録画装置。
【請求項３】
前記録画方式選択手段により選択される録画方式のビットレート値は、予め保持した録画方式毎に設定可能なビットレート情報を参照し、前記録画方式設定手段で設定されたビットレート値に一番近い設定可能な値に自動調整するビットレート選択手段を有することを特徴とする請求項１乃至請求項２に記載の録画装置。
【請求項４】
前記録画方式選択手段により選択される録画方式のビットレート値は、予め保持した録画方式毎に対比条件が規定されたビットレート情報を参照し、前記録画方式設定手段で設定されたビットレート値に対応する値に調整するビットレート選択手段を有することを特徴とする請求項１乃至請求項２に記載の録画装置。
【請求項５】
予め入力された録画方式及び記録形式の組み合わせを保持し、
録画が指示された場合に、入力された録画方式と記録メディアが許容する記録形式とを比較し、
比較した結果、録画方式及び記録形式を変更することで録画可能と判断できた場合は、録画方式及び記録形式を変更して録画を開始することを特徴とする録画方法。
【請求項６】
変更される記録形式は、ビットレートの変更を伴うことを特徴とする請求項５記載の録画方法。
【請求項７】
変更されるビットレート値は、予め１：１で対応されていることを特徴とする請求項６記載の録画方法。
【請求項８】
変更されるビットレート値は、予め用意されている組み合わせから任意に選択可能であることを特徴とする請求項６記載の録画方法。
【請求項９】
アナログ方式の番組及びデコードされたデジタル方式の番組を録画処理可能な第１の録画処理部と、
デジタル方式の番組を録画処理可能な第２の録画処理部と、
録画指示を受け付ける入力部と、
この入力部により録画が指示された番組をそのまま録画可能な記録形式が選択されているか否かを判別する判別部と、
この判別部により前記入力部により指示された番組が指示された録画処理方式と異なる録画処理方式において録画可能であると判別された場合に、録画方式を変更する録画方式選択と、
を有することを特徴とする録画装置。
【発明の詳細な説明】
【技術分野】
【０００１】
この発明は、空間波や放送衛星により提供される公衆向け放送を受信して記録する録画装置に関する。
【背景技術】
【０００２】
公衆向けの放送として、空間波（地上波）や放送衛星により、さまざまな番組（コンテンツ）が提供されている。なお、放送衛星を介して提供される一部の放送と地上波により提供される一部の放送には、デジタル放送も実施されており、デジタル放送を、デジタル信号のまま録画できる録画装置も既に広く普及している。
【０００３】
デジタル放送を、デジタル信号のまま録画できる録画装置としては、大容量記録媒体、例えばＨＤＤ（ハードディスク装置）や、ＤＶＤ規格／ＨＤ（Ｈｉｇｈ−Ｄｅｆｉｎｉｔｉｏｎ）  ＤＶＤ規格の光ディスクを記録媒体に用い、デジタルハイビジョン放送を、概ね１００時間程度録画できるものが既に普及している。
【０００４】
一方で、デジタル放送により提供される番組（コンテンツ）には、複製（ダビング）が禁止されているもの（移動（ムーブ）のみ可能）／１回のみ複製が許可されているもの等がある。また、録画そのものが禁止されている方式の番組（コンテンツ）も存在する。
【０００５】
特許文献１には、録画動作時若しくは予約設定時に著作権保護情報を検出し、この著作権保護情報と設定した記録形式を比較し、設定した記録形式が著作権保護情報により記録制限された放送番組の録画に適さないと判別された場合、自動的に著作権保護情報に対応した記録形式を設定することにより、ユーザーが所望の番組の録画をする際に、録画の失敗を低減できる記録再生装置が開示されている。
【特許文献１】特開２００７−９６８６４
【発明の開示】
【発明が解決しようとする課題】
【０００６】
しかしながら、特許文献１に記載された記録再生装置には、録画対象、録画方式設定、記録先メディアの記録形式の組合せと、自動的に選択する場合の優先順位の関係には何ら具体的な記載がされていない。特に、録画が許可される録画方法の範囲内で、最も画質や音質の劣化が少なくなる組み合わせの選定等に関する記載が見当たらない。
【０００７】
また、ユーザーにとっては、希望する番組（コンテンツ）が、著作権等の制約で録画不可であることよりも、録画されていないという事実（結果）のみが記憶に残り易く、ユーザーに、操作性がよくない、という印象を持たせる要因となりうる。
【０００８】
この発明の目的は、録画が禁止されている、もしくはそのままの形式（フォーマット）では録画できない番組（コンテンツ）を、録画が許可されている形式（フォーマット）で録画することにより、ユーザーの希望する番組（コンテンツ）が録画されずに視聴できなくなることを抑止可能な録画装置を提供することである。
【課題を解決するための手段】
【０００９】
この発明は、上記問題点に基づきなされたもので、ユーザー操作による録画方式を設定する録画方式設定手段と、前記記録メディアの記録形式を検出する記録形式検出手段と、前記録画方式及び前記記録形式を記憶させる記憶手段と、番組を録画する録画手段と、前記録画手段で番組を録画するときの録画対象が前記記憶手段に記憶される前記録画方式及び前記記憶形式との組合せにおいて、録画が可能か否かを判断する判断手段と、前記判断手段による結果が録画不可である場合に、録画可能な録画方式を選択する録画方式選択手段と、を有することを特徴とする録画装置である。
【発明の効果】
【００１０】
この発明の実施の形態を採用することで、録画方式が複数選択可能な場合に、録画方式と録画対象／記録形式との組み合わせで録画不可が設定されるような状況でも、ユーザーの録画操作があったときに、録り逃しを防ぐことができる（録り逃しを防止する（今録画したい、と思ったときにすぐに録画できる）。
【発明を実施するための最良の形態】
【００１１】
以下、図面を参照して、本発明の実施の形態の一例について説明する。
【００１２】
図１は、本発明の実施の形態が適用可能な画像装置（映像録画装置、レコーダー装置とも称される）において、録画可能な録画方式と記録先メディアにおいて記録可能な記録形式（フォーマット）との関係を示す。
【００１３】
図１に示すように、記録先メディア（記録媒体）が、例えばＨＤＤ（ハードディスク装置）や、ＨＤ（Ｈｉｇｈ−Ｄｅｆｉｎｉｔｉｏｎ）  ＤＶＤ規格／ＤＶＤ規格の光ディスクである場合には、記録可能なフォーマットとして、「ＶＲ（Ｖｉｄｅｏ−Ｒｅｃｏｒｄｉｎｇ）フォーマット」と「ＨＤＶＲ（ＨＤ  Ｖｉｄｅｏ−Ｒｅｃｏｒｄｉｎｇ）フォーマット」が選択できる。
【００１４】
反面、録画方式は、アナログ放送（アナログ方式の放送）およびでデジタル放送（デジタル方式の放送）の両者とも可能な「ＶＲ（Ｖｉｄｅｏ−Ｒｅｃｏｒｄｉｎｇ）」とデジタル放送のみ可能な「ＴＳＥ（ＭＰＥＧ４−ＡＶＣ）」に区分される。なお、デジタル放送として供給される放送波であっても、周知のパケタイズドストリーム（Ｐａｃｋｅｔｉｚｅｄ  ｓｔｒｅａｍ，以降“ＰＳ”と称する）と呼ばれるデータ形式の映像データおよびオーディオデータについては、デコードにより、「ＶＲフォーマット」として取り扱うことができる。一方、通常のデジタル方法は、ＴＳ（Ｔｒａｎｓｐｏｒｔ  ｓｔｒｅａｍ，以降“ＴＳ”と称する）形式であり、上述の「ＴＳＥ」は、“ＴＳ”形式のデジタル放送を、より圧縮度の高い圧縮方式で録画可能であることを示している。
【００１５】
このため、記録先メディアとして、「ＶＲフォーマット」に対応した光ディスクが用意されている場合には、「ＴＳＥ」形式で提供されるデジタル放送は、そのままでは、録画できない。
【００１６】
図２は、この発明の実施の形態が適用される録画装置を概略的に示す。
【００１７】
図２に示す録画装置１０１は、例えば放送衛星から提供される衛星デジタルＴＶ放送や空間波（地上波）のうちのデジタル放送を受信して所定のチャンネルを選択する第１のチューナー部（デジタルチューナー）３、および主として空間波（地上波）のアナログ放送を受信して所定のチャンネルを選択する第２のチューナー部（アナログチューナー）５、およびそれぞれのチューナー部を介して入力されるデジタル放送およびアナログ放送を、後段に説明する録画処理部１と録画処理部２のどちらに入力するかを設定する録画対象入力部１１を有する。なお、録画対象入力部１１は、第１のチューナー部３から供給されるデジタル信号をデコードするデコーダー７、および第２のチューナー部５から供給されるアナログ信号を、後段の録画処理のためにデジタル信号に変換するコンバータ（ＡＤＣ）９を含む。
【００１８】
録画対象入力部１１には、コンバータ（ＡＤＣ）９によりデジタル信号に変換されたアナログ放送の信号を録画可能に処理する第１の録画処理部（ＭＰＥＧ２エンコーダ）１３および第１のチューナー部３により選択されたデジタル放送（ＴＳ）をそのまま録画可能に処理する第２の録画処理部（ＭＥＰＧ４ＡＶＣトランスコーダー）１５が接続されている。なお、デコーダー７によりデコードされたデジタル放送の信号は、第１の録画処理部１３においても録画可能であることはいうまでもない。
【００１９】
録画対象入力部１１にはまた、以下に詳細に説明するユーザー操作入力部１９、ユーザー操作入力／ＧＵＩ表示部２１、および録画方式選択設定部２３が接続されている。
【００２０】
ユーザー操作入力部１９は、例えば無線式や赤外線式の図示しないリモート端末（リモコン）を介して入力される第１および第２のチューナー部３，５を介して取得（受信）すべき放送波の選択や第１および第２の録画処理部１３，１５による録画処理すなわち録画方式を決定するユーザー操作を受け付ける。
【００２１】
ユーザー操作入力／ＧＵＩ表示部２１は、ユーザー操作入力部１９から入力される録画条件を保持し、録画対象入力部１１に入力された録画条件を出力するとともに、入力された情報やその結果として選択された条件を外部に接続される表示装置（モニタ装置やＴＶ受信機における表示部）に表示する。なお、ユーザー操作入力／ＧＵＩ表示部２１は、ユーザー操作入力部１９から入力された録画方式を保持する録画方式設定部２１−１と、録画装置１０１に接続されるモニタ装置あるいはＴＶ（テレビジョン）受信機の表示部に、ユーザー操作入力部１９により受け付けた条件や録画できない条件が入力されたことをＧＵＩ（Ｇｒａｐｈｉｃａｌ  Ｕｓｅｒ  Ｉｎｔｅｒｆａｃｅ）表示するためのＯＳＤ（Ｏｎ  Ｓｃｒｅｅｎ  Ｄｉｓｐｌａｙ）ユニット２１−２を含む。
【００２２】
録画方式選択設定部２３は、ユーザー操作入力部１９から入力された録画条件が第１及び第２の録画処理部１３，１５により録画可能な条件が一致するか否かを判別して、実際の録画に適用すべき録画方式と記録形式の組み合わせを設定する。
【００２３】
録画方式選択部２３は、記録メディアの記録形式を検出する記録形式検出部２３−１、予め設定されている録画方式及び記録形式検出部２３−１において検出された記録形式を保持（記憶）する記憶部２３−２、録画対象が記憶部２３−２に記憶されている録画方式及び記録形式との組合せにおいて、ユーザー操作入力部１９から入力された録画条件で、録画可能か否かを判断する判断部２３−３、判断部２３−３による結果が録画不可である場合に、録画可能な録画方式を選択して設定する録画方式選択設定部２３−４、および録画方式選択手段により選択される録画方式において選択することが許容されるビットレート値を設定するビットレート選択部２３−５を含む。
【００２４】
なお、録画対象入力部１１、ユーザー操作入力／ＧＵＩ表示部２１、録画方式選択設定部２３は、多くの場合、主制御ブロック（Ｍａｉｎ  Ｐｒｏｃｅｓｓｉｎｇ  Ｕｎｉｔ，ＭＰＵ）１として一体的に形成されている。
【００２５】
主制御ブロック１はまた、詳述しないが録画装置１０１の全体の動作を制御する主制御装置（ＣＰＵ）や、図示しないが、ワークメモリとして機能するメインメモリ（ＳＤＲＡＭ）等を含む。
【００２６】
第１および第２の録画処理部１３，１５から出力されたデジタル信号は、例えばＨＤ規格のＤＶＤディスク（Ｈｉｇｈ  Ｄｅｆｉｎｉｔｉｏｎ  Ｄｉｇｉｔａｌ  Ｖｅｒｓａｔｉｌｅ  Ｄｉｓｃ，以下、ＨＤ  ＤＶＤと略称する）規格の光ディスク（ＨＤ  ＤＶＤディスク）Ｍがセットされることで光ディスクＭに収容されている情報を再生するディスクドライブユニット１７において、予め用意（装着）された光ディスクＭに、所定の形式で記録される。なお、ディスクドライブユニット１７は、ＨＤ  ＤＶＤ規格のディスクに加え、現在広く利用されているＤＶＤ規格の光ディスクについても、番組（コンテンツ）の記録が可能である。また、ディスクドライブユニット１７に加え、所定の記憶容量が与えられた図示しないＨＤＤ（ハードディスクメモリドライブ）が用意されて、ＨＤＤに番組（コンテンツ）が録画されてもよいことはいうまでもない。
【００２７】
図３は、図２に示した録画装置１０１において、任意の番組（コンテンツ）を録画するための手順の一例を示す。
【００２８】
図３に示すように、ユーザー操作により録画開始が指示されると、現在の設定値すなわち録画方式・ビットレート等が取得される（Ｓ１）。
【００２９】
次に、録画対象すなわちチューナー部３または５により入力される番組（コンテンツ）の放送形式と設定されている録画方式の組み合わせがチェックされる（Ｓ２）。
【００３０】
ステップＳ２において、録画方式と放送形式が一致した場合（Ｓ２−ＹＥＳ）、録画方式と記録形式の組み合わせがチェックされる（Ｓ３）。
【００３１】
ステップＳ３において、記録形式と録画方式が一致した場合、そのまま番組（コンテンツ）が録画される（Ｓ４）。
【００３２】
一方、ステップＳ２において、放送形式が録画方式に一致しない場合（Ｓ２−ＮＯ）、他の録画方式で録画が可能か否か（録画が可能な別の録画方式があるか）がチェックされる（Ｓ１１）。
【００３３】
ステップＳ１１で、録画が可能な別の録画方式があることがチェックされた場合（Ｓ１１−ＹＥＳ）、録画方式とビットレートが変更（調整）される（Ｓ１２）。以下、ユーザーが指示した録画方式とは録画方式が異なるものの、ユーザーが録画を希望した番組（コンテンツ）が録画される（Ｓ４）。
【００３４】
一方、ステップＳ１１において、録画が可能な別の録画方式がない、と判断された場合（Ｓ１１−ＮＯ）、ＯＳＤユニット２５を介して、表示部（ＴＶ受信機）あるいはモニタ装置に、例えば『録画できない番組です』等のメッセージが表示される（Ｓ１３）。
【００３５】
図４は、図３により説明した録画方式と記録形式が一致しない場合に、録画方式を変更した場合に、ビットレートを変更（調整）するための条件を説明する概略図である。
【００３６】
図４から明らかなように、録画方式１（第１の録画方式すなわちＭＰＥＧ２）が「ＶＲフォーマット」である場合、ビットレートは、９．２（最大）〜１．０Ｍｂｐｓである。
【００３７】
これに対し、録画方式２（第２の録画方式すなわちＭＰＥＧ４ＡＶＣ）が「ＴＳＥフォーマット」である場合、ビットレートは、２０．０（最大）〜６．０Ｍｂｐｓである。
【００３８】
従って、録画方式２に適合しない番組（コンテンツ）を録画方式１で録画するためには、録画方式２で録画方式１の範囲を超えるビットレートになっている場合、少なくとも、ビットレートを、９．２Ｍｂｐｓに低減する必要がある。このため、第１のビットレート変換方法としては、９．２Ｍｂｐｓよりも高いビットレートのＴＳＥフォーマットの信号については、一律に９．２Ｍｂｐｓに設定する方法である。
【００３９】
この際、録画方式もＴＳＥ（録画方式２）からＶＲ（録画方式１）に変更されることはいうまでもない。
【００４０】
図５は、図３により説明した録画方式と記録形式が一致しない場合において、録画方式が変更された場合に、ビットレートを変更（調整）するための条件を説明する別の実施の形態を示す概略図である。
【００４１】
図４により説明したが、録画方式２に適合した番組（コンテンツ）を録画方式１で録画するために、９．２Ｍｂｐｓよりも高いビットレートのＴＳＥフォーマットの信号については、一律に９．２Ｍｂｐｓに設定した場合、番組（コンテンツ）は、録画されるが、例えば録画方式２の多くの範囲は録画方式１の９．２Ｍｂｐｓに対応することになり、録画方式１の最高画質で録画されることになり画質品位がユーザーの期待以上になってしまう。本来録画方式２の１２．０Ｍｂｐｓの画質と録画方式１の６．６Ｍｂｐｓが同程度の画質、と言った、対応づけをすることにより、録画方式２から録画方式１への切り替え時のビットレート値の変換を行なう方法である。
【００４２】
例えば、録画方式２（ＴＳ）においてビットレートが２０．０Ｍｂｐｓである場合に、録画方式１（ＶＲ）においては、ビットレートを９．２Ｍｂｐｓに、録画方式２においてビットレートが１４．５Ｍｂｐｓである場合に、録画方式１においては、ビットレートを７．０Ｍｂｐｓに、録画方式２においてビットレートが１０．０Ｍｂｐｓである場合に、録画方式１においては、ビットレートを６．０Ｍｂｐｓに、それぞれ設定することで、映像および音声を不所望に低下させることなく、残り記録容量を確保しながら、番組（コンテンツ）を録画することができる。なお、ユーザーにとっては、希望した番組が録画されていることが重要であり、記録容量の確保は二次的な成果である。
【００４３】
図６は、録画装置１０１において録画可能な録画方式と記録形式の組み合わせとして、設定可能な組み合わせ（設定）例を画面に表示させた例を示している。
【００４４】
例えば、ＴＳＥ方式（記録形式２）のみについて考えた場合、選択可能なビットレートは、図４から明らかであるが、４１通りある。このため、録画装置１０１では、ユーザーがよく使う録画品質を５通り（個）まで、予め設定可能とし、設定１〜５のそれぞれについて、図７に示す詳細画面で録画方式やビットレート値を設定することができるよう、プログラムが用意され、対応するＧＵＩ画面も用意されている。
【００４５】
なお、選択可能な録画方式については、既に説明したが「ＶＲ（ＭＰＥＧ２）」と「ＴＳＥ（ＭＰＥＧ４ＡＶＣ）」として、説明する。
【００４６】
図３に示したように、ユーザーから録画開始が指示されると、ユーザーから録画開始が指示されると、図６に示す設定画面で設定された録画品質（設定１〜５のいずれか）にて録画が開始される。また、録画先としては、ＨＤＤとディスクドライブユニット１７のいずれかが選択可能である。なお、ディスクドライブユニット１７は、ＤＶＤ規格及びＨＤ  ＤＶＤ規格のいずれかの光ディスクを収容しているものとする。
【００４７】
ユーザーにより、図６に示した設定１〜５のいずれかが選択され、録画操作（［録画］キーオン等）がされた場合は、その設定（設定された条件）の録画品質により、番組（コンテンツ）の録画が開始される。なお、現在設定されている録画品質は、録画動作時（再生動作時含む）において、例えば番組（コンテンツ）を再生（表示）している画面表示において、所定の領域（例えば画面内最下部）に、図８に示すように表示されている。この例では、表示８−１により、録画方式として「ＴＳＥ」が選ばれている（設定されている）ことが表示されている。
【００４８】
ところで、ユーザーが、図８に示すように、録画可能条件（録画方式）として「ＴＳＥ」が選択されている状態、現在ユーザーが視聴しているアナログ方式の番組（コンテンツ）を録画しようと、図示しないリモコン端末の「録画」キーをオンした場合、図９に示すように、本来“ＴＳ”方式（デジタル放送）を録画可能な方式として推奨されている録画方式２（ＴＳＥ／ＭＰＥＧ４ＡＶＣ）を、録画方式１（ＶＲ／ＭＰＥＧ２）に変更することで、そのまま（現在視聴している）番組（コンテンツ）を録画することができる。
【００４９】
すなわち、ユーザーが視聴している番組（コンテンツ）が、デジタル放送の場合は、現在選択中の録画方式でそのまま録画できるが、録画方式を「ＶＲ」に変更し、ビットレートが１４．５Ｍｂｐｓであるから、ＶＲ方式で設定可能なビットレート値で一番近い９．２Ｍｂｐｓ（図４で説明したように、ビットレートが９．２Ｍｂｐｓを越えるＴＳは、９．２Ｍｂｐｓに変更）に変更して、番組が録画される。なお、ビットレートについては、図５により説明したように、オーバースペックにならないよう、変更（調整）されてもよいことはいうまでもない。
【００５０】
なお、図１０に示すように、ユーザーが“ＴＳ（フォーマット）”で放送されている番組（コンテンツ）を視聴している状態で、現在視聴している番組（コンテンツ）を録画しようと、図示しないリモコン端末の「録画」キーをオンした場合であって、例えばディスクドライブユニット１７を録画先として選択した場合に、ディスクドライブユニット１７には、ＤＶＤ規格の光ディスクがセットされていたとすると、光ディスクとしては、ＨＤＶＲフォーマットが録画可能な（ＨＤ  ＤＶＤ規格の）光ディスクが必要である。
【００５１】
この場合、本来“ＴＳ”方式を録画可能な方式として推奨されている録画方式２（ＴＳＥ／ＭＰＥＧ４ＡＶＣ）を、録画方式１（ＶＲ／ＭＰＥＧ２）に変更することで、そのまま（現在視聴している）番組（コンテンツ）を録画することができる。
【００５２】
すなわち、ディスクドライブユニット１７に挿入されているディスクのフォーマットによって記録可能な録画方式が異なる場合、（図の例では、）現在選択されている録画方式が「ＴＳＥ（録画方式２）」であるから、ＨＤＶＲフォーマットのディスクが挿入されているときは録画可能であるがＶＲフォーマットのディスクが挿入されているときは「ＴＳＥ」録画が不可となるため、録画方式を「ＶＲ（録画方式１）」に切り替えて録画を開始する。この場合、ビットレート値は、図４または図５により説明した、いずれかの方法が用いられる用されることはいうまでもない。
【００５３】
なお、図９及び図１０に示した録画方式と記録形式の組み合わせをまとめると、図１１のようになる。
【００５４】
以上説明したように、この発明の実施の形態を採用することで、録画方式が複数選択可能な場合に、録画方式と録画対象／記録形式との組み合わせで録画不可が設定されるような状況でも、ユーザーの録画操作があったときに、録り逃しを防ぐことができる（録り逃しを防止する（今録画したい、と思ったときにすぐに録画できる）。
【００５５】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の実施の形態が適用可能な録画装置（映像録画装置、レコーダー装置とも称される）において、録画可能な録画方式と記録先メディアにおいて記録可能な記録形式（フォーマット）との関係を示す概略図。
【図２】この発明の実施の形態が適用可能な録画装置の構成の一例を説明する概略図。
【図３】図２に示した録画装置において、任意の番組（コンテンツ）を録画するための手順の一例を示す概略図。
【図４】図３により説明した録画方式と記録形式が一致しない場合に、録画方式を変更した場合に、ビットレートを変更（調整）するための条件を説明する概略図。
【図５】図３により説明した録画方式と記録形式が一致しない場合において、録画方式が変更された場合に、ビットレートを変更（調整）するための条件を説明する別の実施の形態を示す概略図。
【図６】録画装置において録画可能な録画方式と記録形式の組み合わせとして、設定可能な組み合わせ（設定）例を画面に表示させた表示画面の一例を示す概略図。
【図７】図６に示した設定画面の表示に引き続く、詳細画面の表示の一例を示す概略図。
【図８】現在設定されている録画品質を、表示部／モニタ装置に表示する表示画面の一例を示す概略図。
【図９】アナログ方式の番組（コンテンツ）を録画しようとした場合に、推奨されている録画方式がアナログ方式の番組を録画できない場合の録画方式及び記録形式の変更例を示す概略図。
【図１０】記録先メディアのフォーマットの制限から推奨されている録画方式をそのまま録画できない場合の録画方式及び記録形式の変更例を示す概略図。
【図１１】番組（コンテンツ）の方式と、録画可能な録画方式及び記録形式の組み合わせを説明する概略図。
【符号の説明】
【００５７】
１０１…録画装置装置（レコーダー装置）、１…主制御ブロック（Ｍａｉｎ  Ｐｒｏｃｅｓｓｉｎｇ  Ｕｎｉｔ，ＭＰＵ）、３…第１のチューナー部（デジタルチューナー）、５…第２のチューナー部（アナログチューナー）、７…デコーダー、９…コンバータ（ＡＤＣ）、１１…録画再生制御部、１３…第１の録画処理部（ＭＰＥＧ２エンコーダ）、１５…第２の録画処理部（ＭＥＰＧ４ＡＶＣトランスコーダー）、１７…ディスクドライブユニット、１９…ユーザー操作／録画方式選択部、２１…メインメモリ（ＳＤＲＡＭ）、２３…録画方式選択部、２５…ＯＳＤ（Ｏｎ  Ｓｃｒｅｅｎ  Ｄｉｓｐｌａｙ）。
【図１】
2009111883.tif 000003
【図２】
2009111883.tif 000004
【図３】
2009111883.tif 000005
【図４】
2009111883.tif 000006
【図５】
2009111883.tif 000007
【図６】
2009111883.tif 000008
【図７】
2009111883.tif 000009
【図８】
2009111883.tif 000010
【図９】
2009111883.tif 000011
【図１０】
2009111883.tif 000012
【図１１】
2009111883.tif 000013